(57)【要約】【課題】リモコンによる遠隔操作が可能な電子装置であって、ディスクトレイの開操作に関する操作性を向上させることが可能な電子装置を提供する。【解決手段】本発明の電子装置は、操作指示を受け付ける操作部と、記録媒体を装着して記録媒体より情報を読み出す格納部とを備えている。また、格納部が記録媒体を装着していない状態において操作部により所定操作が検知された場合に、記録媒体の装着を待ち受ける待受状態へ移行するよう格納部を制御する制御部を備えている。制御部は、電子装置が受け付ける操作指示のうち電源制御操作、設定操作、及び機能選択操作を除く操作指示を汎用操作とみなす。そして制御部は、格納部に記録媒体が装着されていない状態において汎用操作が検知された場合に、待受状態へ移行するよう格納部を制御する。【選択図】図５
2012248261.tif 000002
【特許請求の範囲】
【請求項１】
操作指示を受け付ける操作部と、
記録媒体を装着して前記記録媒体より情報を読み出す格納部とを備えた電子装置において、
前記格納部が記録媒体を装着していない状態において前記操作部により予め定められた種別の操作が検知された場合に、記録媒体の装着を待ち受ける待受状態へ移行するよう前記格納部を制御する制御部を備えること
を特徴とする電子装置。
【請求項２】
前記制御部は、前記電子装置が受け付ける操作指示のうち電源制御操作、設定操作、及び機能選択操作を除く操作指示を汎用操作とみなし、
前記制御部は、前記格納部に記録媒体が装着されていない状態において前記汎用操作が検知された場合に、前記待受状態へ移行するよう前記格納部を制御すること
を特徴とする請求項１に記載の電子装置。
【請求項３】
前記電子装置は、前記電子装置に対して操作指示を行うリモコン装置より制御信号を受信する信号受信部を備え、
前記制御部は、前記格納部に記録媒体が装着されていない状態において、受信した前記制御信号が示す操作指示が前記汎用操作である場合に、前記待受状態へ移行するよう前記格納部を制御すること
を特徴とする請求項２に記載の電子装置。
【請求項４】
前記格納部は、ディスクを格納するディスクトレイを有し、
前記制御部は、前記ディスクトレイが閉状態であり、且つ前記ディスクトレイにディスクが装着されていない状態において前記汎用操作が検知された場合に、前記ディスクトレイを開状態とするよう前記格納部を制御すること
を特徴とする請求項３に記載の電子装置。
【請求項５】
前記リモコン装置は、操作ボタンの背後にバックライトを備え、前記汎用操作を行うためのボタンとそれ以外のボタンとを、前記バックライトの点灯／消灯により区別して示すこと
を特徴とする請求項３に記載の電子装置。
【発明の詳細な説明】
【技術分野】
【０００１】
本発明は、一般家庭において使用される電子装置に関するものであり、特にリモコンによる遠隔操作が可能な電子装置に関する。
【背景技術】
【０００２】
近年、デジタル技術の多機能化、多様化により、ＤＶＤ（Digital Versatile Disc）レコーダやＤＶＤプレーヤ等の様々な電子装置が普及している。これらの電子装置は、ＤＶＤに記録されている画像／音声デジタルデータをデコードすることにより、画像／音声信号をテレビジョン装置やモニタ、又はスピーカ等に出力する。
【０００３】
このような電子装置の中には、光ディスク等の記録媒体を格納するためのディスクトレイを備えているものが実用化されている。また、ユーザが遠隔操作を行うためのリモコンを備えているものが実用化されている。リモコン装置を用いることによりユーザは、電子装置から離れた場所から、電子装置の各種操作を行うことが可能である。
【０００４】
さらには、ディスクトレイの状態を監視し、ユーザによるリモコン操作を必要とすることなく、ディスクトレイの開閉を行う装置が開示・提案されている（例えば特許文献１及び特許文献２を参照）。
【先行技術文献】
【特許文献】
【０００５】
【特許文献１】特開２００７−３２３７３９号公報
【特許文献２】特開２００７−４２２０９号公報
【発明の概要】
【発明が解決しようとする課題】
【０００６】
しかしながら上記で開示されている技術は、ディスクトレイの自動開閉を行う状況が起動時や特殊な動作モード時に限られているため、それ以外の状況では効果が得られないという問題があった。
【０００７】
本発明は、上記の問題を鑑みてなされたものであり、リモコンによる遠隔操作が可能な電子装置であって、ディスクトレイの開操作に関する操作性を向上させることが可能な電子装置を提供することを目的とする。
【課題を解決するための手段】
【０００８】
上記目的を達成するために本発明の電子装置は、操作指示を受け付ける操作部と、記録媒体を装着して前記記録媒体より情報を読み出す格納部とを備えた電子装置において、前記格納部が記録媒体を装着していない状態において前記操作部により予め定められた種別の操作が検知された場合に、記録媒体の装着を待ち受ける待受状態へ移行するよう前記格納部を制御する制御部を備えることを特徴としている。
【０００９】
これによると、本発明の電子装置は、操作指示を受け付ける操作部と、記録媒体を装着して記録媒体より情報を読み出す格納部とを備えている。また、格納部が記録媒体を装着していない状態において操作部により所定操作が検知された場合に、記録媒体の装着を待ち受ける待受状態へ移行するよう格納部を制御する制御部を備えている。
【００１０】
また上記目的を達成するために本発明の電子装置が備える前記制御部は、前記電子装置が受け付ける操作指示のうち電源制御操作、設定操作、及び機能選択操作を除く操作指示を汎用操作とみなし、前記制御部は、前記格納部に記録媒体が装着されていない状態において前記汎用操作が検知された場合に、前記待受状態へ移行するよう前記格納部を制御することを特徴とする。
【００１１】
これによると、制御部は、電子装置が受け付ける操作指示のうち電源制御操作、設定操作、及び機能選択操作を除く操作指示を汎用操作とみなす。そして制御部は、格納部に記録媒体が装着されていない状態において汎用操作が検知された場合に、待受状態へ移行するよう格納部を制御する。
【００１２】
また上記目的を達成するために本発明の電子装置は、前記電子装置に対して操作指示を行うリモコン装置より制御信号を受信する信号受信部を備え、前記制御部は、前記格納部に記録媒体が装着されていない状態において、受信した前記制御信号が示す操作指示が前記汎用操作である場合に、前記待受状態へ移行するよう前記格納部を制御することを特徴とする。
【００１３】
これによると、電子装置に対して操作指示を行うリモコン装置より制御信号を受信する信号受信部を備えている。制御部は、格納部に記録媒体が装着されていない状態において、受信した制御信号が示す操作指示が汎用操作であるか否かを判定する。汎用操作である場合、待受状態へ移行するよう格納部を制御する。
【００１４】
また上記目的を達成するために本発明の電子装置が備える前記格納部は、ディスクを格納するディスクトレイを有し、前記制御部は、前記ディスクトレイが閉状態であり、且つ前記ディスクトレイにディスクが装着されていない状態において前記汎用操作が検知された場合に、前記ディスクトレイを開状態とするよう前記格納部を制御することを特徴とする。
【００１５】
これによると、格納部は、光ディスク等を格納するディスクトレイを有している。制御部は、ディスクトレイが閉状態であり、且つディスクトレイにディスクが装着されていない状態において汎用操作が検知された場合に、ディスクトレイを開状態とし、ディスクの装着を待ち受けるよう、格納部を制御する。
【００１６】
また上記目的を達成するために本発明の電子装置が備える前記リモコン装置は、操作ボタンの背後にバックライトを備え、前記汎用操作を行うためのボタンとそれ以外のボタンとを、前記バックライトの点灯／消灯により区別して示すことを特徴とする。
【００１７】
これによると、リモコン装置は、操作ボタンの背後にバックライトを備えている。そして汎用操作を行うためのボタンと、それ以外のボタンとの区別を、バックライトの点灯／消灯により示す。
【発明の効果】
【００１８】
本発明によれば、ディスクトレイにディスクが装着されていない状態において、ディスクが装着されていなければ意味をなさない操作（＝汎用操作）を検知した場合に、検知した操作内容にかかわらずディスクトレイの開動作を行う。このため、操作手順を簡略化し、ユーザの手間を省くことができる。
【図面の簡単な説明】
【００１９】
【図１】本発明の電子装置が備える機能部の構成を示すブロック図である。
【図２】本発明の電子装置の内部構成を示すブロック図である。
【図３】本発明の電子装置が備えるリモコン装置の外観を示す模式図である。
【図４】本発明の電子装置が出力する設定画面を示す画面図である。
【図５】本発明の開処理を示すフロー図である。
【図６】第二の実施形態に係るリモコン装置の外観を示す模式図である。
【発明を実施するための形態】
【００２０】
以下に本発明の実施形態を、図面を参照しながら説明する。なお、ここで示す実施形態は一例であり、本発明はここに示す実施形態に限定されるものではない。
〈１−１．内部構成について〉
【００２１】
図２は、本発明の第一の実施形態に係るＤＶＤレコーダ１（＝電子装置）の内部構成を示すブロック図である。なお、図２における矢印線は画像／音声データの流れを示している。また、矢印のない直線は、制御部１１が各装置に対する制御信号等を送受信するための通信バスを示している。
【００２２】
ＤＶＤレコーダ１は少なくとも、制御部１１、メモリ１２、操作部１３、フラッシュメモリ１４、ＨＤＤ１５、光ディスクドライブ１６（＝格納部）、放送受信部１７、信号処理部１８、ＯＳＤ（On-Screen Display）処理部１９、信号受信部２０、及び外部接続端子２１を含むように構成されている。なお外部接続端子２１により接続される表示装置として、ディスプレイ２が存在する。
【００２３】
制御部１１は、ＤＶＤレコーダ１の各部材の駆動を制御することにより、画像／音声の再生処理、記録処理、出力処理等を統括制御するためのものである。制御部１１は例えば、複数のマイクロプロセッサから構成されている。また制御部１１は、制御部１１が備える演算処理装置上でプログラムを実行することにより実現される機能部として、後述するコード受信部１１ａ〜設定部１１ｄ（図１）を備えている。
【００２４】
メモリ１２は、ＤＶＤレコーダ１が保持する各種データを一時的に記録する媒体であり、例えば書き込み可能なＲＡＭ（Random Access Memory）等により構成されている。メモリ１２は、例えば制御部１１によって各種情報処理が行われる際の処理データや、ユーザから受けた指示命令等を一時的に記録しておくためのバッファメモリとしての役割を持つ。
【００２５】
操作部１３は、ユーザがＤＶＤレコーダ１に対して、画像／音声の再生指示等を行うためのものである。操作部１３は、例えばＤＶＤレコーダ１のハウジングに設けられた複数のボタン等を含む。操作部１３はこれらの装置により、ユーザ操作を受け付ける。ユーザ操作が受け付けられると、制御部１１は、操作内容に基づいて再生処理や記録処理等を行う。
【００２６】
フラッシュメモリ１４は、ＥＥＰＲＯＭの一種で、デバイスの利用者が書き込み／消去可能なＲＯＭである。フラッシュメモリ１４は回路基板に実装したままで書き込み、消去ができるため、利用時に書き換えが必要な用途、例えば装置の動作設定データや、利用者固有の情報等を保存するのに用いられる。
【００２７】
ＨＤＤ１５は、デジタルデータを記録する磁気記録媒体である。本実施形態では主に、放送波に含まれる画像／音声データから生成される録画データや、圧縮処理により生成された圧縮録画データを記録するのに用いられる。
【００２８】
光ディスクドライブ１６は、ＣＤ（Compact Disc）メディア、或いはＤＶＤ（Digital Versatile Disc）メディア等の光ディスク（＝記録媒体）に対して光学的に各種データの読み取りを行うための光学装置である。
【００２９】
光ディスクドライブ１６は、光ピックアップ（不図示）の制御を行うことにより、光ディスクに光ビームを照射して、光ディスクに記録された音声情報、画像情報等の各種情報の読み取りを行う。この際、光ピックアップの駆動制御やフォーカス制御、或いはチルト制御等の各種制御を行う。
【００３０】
また光ディスクドライブ１６は、光ディスクの着脱を行うためのディスクトレイ（不図示）を備えている。ディスクトレイは、操作部１３または後述するリモコン１００（＝リモコン装置）によるユーザ操作により、開閉が可能である。ディスクトレイが開状態（＝待受状態）であるとき、ユーザは光ディスクを装着できる。光ディスクが装着された状態でディスクトレイが閉状態となると、光ディスクドライブ１６は光ディスクのスピンアップ処理を行う。
【００３１】
放送受信部１７は、外部のアンテナ（不図示）に接続されてデジタル／アナログ放送の選局、受信、周波数変換、増幅、復調等を行う。放送受信部１７は、アナログ方式であればアナログチューナ、画像中間周波増幅回路、復調回路、及び増幅回路等を含むように構成されている。またデジタル方式であれば、デジタルチューナ、及び誤り訂正部等を含むように構成されている。
【００３２】
例えばデジタル放送を受信する場合、放送受信部１７に含まれるデジタルチューナが、中間周波信号の増幅及び検波を行う。これにより、ＭＰＥＧ２方式のデジタル信号であるＴＳ（＝Transport Stream）の取得を行う。なおＴＳとは、複数の番組の音声ＰＥＳ（Packetized Elementary Stream）、画像ＰＥＳ、及び付加情報を固定長のＴＳパケットに分割してつなぎ合わせたものである。信号処理部１８へ与えられて画像／音声信号に変換される。なお、ＴＳを変換せずＨＤＤ１５へ記録することも可能である。この場合、信号処理部１８はＴＳのスルーのみを行う。
【００３３】
信号処理部１８は、放送受信部１７が生成したＴＳや、光ディスクドライブ１６が光ディスクより読み出したデジタルデータを入力し、音声情報を含む音声デジタル信号と、画像情報を含む画像デジタル信号とに分離する多重分離部である。具体的には例えば、放送受信部１７より生成されたＴＳを、ＴＳパケットに分割する。そしてＴＳパケットを再結合することにより、音声／画像のＰＥＳを生成する。
【００３４】
そしてＰＥＳを結合することにより、ＥＳ（Elementary Stream＝符号化された音声／画像データ）を生成する。さらに信号処理部１８はＥＳの復号を行い、各種デジタル信号に変換する。復号により得られたデジタル信号は、記録する場合はＨＤＤ１５へ与えられる。またディスプレイ２等に出力する場合は、外部接続端子２１へ与えられる。
【００３５】
ＯＳＤ処理部１９は、画像信号を生成する機能部である。ＯＳＤ処理部１９は、ＤＶＤレコーダ１が出力すべき情報をユーザが視認できる画像データに変換し、変換した画像データをディスプレイ２に表示するための画像信号を生成する。生成された画像信号は、外部接続端子２１より出力される。
【００３６】
信号受信部２０は、赤外線等を用いた無線信号（＝制御信号）をリモコン１００から受信し、信号に含まれる各種情報、例えばリモコンコードを抽出する。抽出した情報は、制御部１１に与えられる。
【００３７】
外部接続端子２１は、例えばＨＤＭＩ（High Definition Multimedia Interface）端子やＵＳＢ（Universal Serial Bus）端子等を含む、複数の入出力端子からなるインタフェースである。外部接続端子２１はこれらの入出力端子を用いて、ＤＶＤレコーダ１と外部の装置、例えばディスプレイ２を接続し、デジタル信号またアナログ信号の入出力を行う。
【００３８】
ディスプレイ２は、図示しない表示部、操作部、制御部、及び接続部を備える表示装置である。ディスプレイ２は例えば、接続部に含まれるＨＤＭＩ端子に接続されたＨＤＭＩケーブルを介して、画像／音声を含むデジタル信号を受け付ける。そしてデジタル信号の複合化を行い、画像／音声の出力を行う。
【００３９】
〈１−２．リモコンの構成について〉
ここで、本発明の第一の実施形態に係るリモコン１００の外観について、図３の模式図を用いながら説明する。
【００４０】
図３は、リモコン１００の表面に備えられた操作ボタン群の一例を示した模式図である。図３に示すように操作ボタン群は、電源ボタン１０１、機能ボタン群１０２、及び通常ボタン群１０３を含むように構成されている。
【００４１】
電源ボタン１０１は、ＤＶＤレコーダ１の主電源を起動させるためのリモコンコードを送信するためのボタンである。
【００４２】
機能ボタン群１０２は、光ディスクドライブ１０６に対する光ディスクの装着状態にかかわらず有効となるリモコンコードを発信するためのボタンである。例えば、ＤＶＤレコーダ１の各種セットアップを行うためのセットアップボタンや、ＤＶＤレコーダ１の動作モードを切り換えるためのモード切替ボタンが、機能ボタン群１０２に含まれる。
【００４３】
セットアップボタンは、ＤＶＤレコーダ１のセットアップメニューを表示するためのボタンである。セットアップメニューでは、受信チャンネルの受信設定や、ＤＶＤを再生するための再生設定等を、ユーザが実施することが可能である。
【００４４】
モード切替ボタンは、ＨＤＤ１５による記録再生を行うＨＤＤモードや、光ディスクドライブ１６による記録再生を行うＤＶＤモード等、複数の動作モードをユーザが切り換えるためのボタンである。
【００４５】
通常ボタン群１０３は、光ディスクドライブ１０６に対する光ディスク装着状態に応じて有効／無効が変化するリモコンコードを送信するためのボタンである。通常ボタン群１０３には例えばＤＶＤの再生開始ボタンや再生停止ボタン等が含まれている。
〈１−３．機能部の構成について〉
【００４６】
ここで、第一の実施形態に係るＤＶＤレコーダ１が本発明の開処理を実施するための各機能部の関係を、図１のブロック図を用いながら説明する。なお、図１における破線矢印線は、制御信号の流れを示している。
【００４７】
図１に示すように本発明の開処理は、制御部１１が備えるコード受信部１１ａ、動作監視部１１ｂ、開閉制御部１１ｃ、及び設定部１１ｄにより実施される。
【００４８】
コード受信部１１ａは、赤外線等を用いた無線信号をリモコン１００から受信し、無線信号に含まれるリモコンコードの解析を行う。そして解析結果に基づいた制御指示を各部、例えば動作監視部１１ｂ等に与える。これにより、リモコン１００で行われたユーザ操作に基づく各種処理が実施される。
【００４９】
動作監視部１１ｂは、操作部１３により所定の操作が検知された否かを監視する。また動作監視部１１ｂは、コード受信部１１ａにより所定のリモコンコードが検知されたか否かを監視する。例えば、ＤＶＤレコーダ１を電源停止から起動状態に移行させるための操作や、録画データの再生指示を含むリモコンコード等を検知したか否かを監視する。
【００５０】
また動作監視部１１ｂは、検知された操作、及びリモコンコードが示す操作の種別を判別する。動作監視部１１ｂは、操作種別を二種類に分類して判別する。具体的には、光ディスクドライブ１０６に対する光ディスク装着状態にかかわらず有効となる操作である第一操作と、光ディスクドライブ１０６に光ディスクが装着されている状態のみ有効となる操作である第二操作（＝汎用操作）とを判別する。
【００５１】
第一操作としては例えば、電源ボタン１０１による電源起動／停止操作（＝電源制御操作）、機能ボタン群１０２によるセットアップメニューの呼び出し操作や録画予約操作（＝設定操作）、或いはモード切替操作（＝機能選択操作）等がこれに該当する。第二操作としては例えば、通常ボタン群１０３による再生開始／停止操作やダビング操作等がこれに該当する。
【００５２】
開閉制御部１１ｃは、光ディスクドライブ１６のディスクトレイが閉状態であり、且つディスクトレイに光ディスクが装着されていない状態において、動作監視部１１ｂにより上記の第二操作が検知された場合に、ディスクトレイの開動作を行うよう、光ディスクドライブ１６を制御する。
【００５３】
設定部１１ｄは、制御部１１が実施する各種処理に関する設定を、ユーザより受け付ける。例えば、上記の開閉制御部１１ｃの動作のＯＮ／ＯＦＦを切り換えるための選択指示を受け付ける。開閉制御部１１ｃの動作がＯＦＦに指定された場合、第二操作が検知されたとしてもディスクトレイの開動作は行わない。なお設定内容を示す設定情報は、フラッシュメモリ１４またはＨＤＤ１５に記録される。
【００５４】
具体的には設定部１１ｄは、例えば図４に示す設定画面２００を表示するための画像信号を生成するよう、ＯＳＤ処理部１９を制御する。そして生成された画像信号を、外部接続端子２１を介してディスプレイ２へ出力する。これにより、設定画面２００がディスプレイ２に表示される。
【００５５】
図４に示すように設定画面２００には、メッセージウィンド２０１及びカーソル２０２が含まれている。ユーザは操作部１３またはリモコン１００を用いてカーソル２０２を移動させることにより、メッセージウィンド２０１に含まれる「はい」ボタン、または「いいえ」ボタンを選択できる。
【００５６】
「はい」ボタンにカーソル２０２があわせられている状態で操作部１３に含まれる決定ボタン（不図示）が押下されると、設定部１１ｄは、次に説明する開処理を実施するよう、開閉制御部１１ｃに指示する。
〈１−４．開処理について〉
【００５７】
ここで、第一の実施形態に係るＤＶＤレコーダ１が実施する本発明の開処理を、図５のフロー図を用いながら説明する。図５に示す処理は、ＤＶＤレコーダ１の電源が起動されており、且つ光ディスクドライブ１６のディスクトレイが閉状態であり、且つディスクトレイに光ディスクが装着されていない状態となったことが検知された時点で開始される。
【００５８】
本処理の開始後、動作監視部１１ｂはステップＳ１１０において、操作部１３またはリモコン１００によるユーザ操作を検知したか否かを判定する。ユーザ操作を検知していない場合、再びステップＳ１１０へ移行し、継続して監視を行う。
【００５９】
ユーザ操作を検知した場合、動作監視部１１ｂはステップＳ１２０において、受け付けた操作内容の解析を行う。具体的には例えば、コード受信部１１ａが受信したリモコンコードの種別を判別する。そしてこの解析結果に基づき、ユーザにより押下されたボタンを判別する。
【００６０】
次に動作監視部１１ｂはステップＳ１３０において、押下されたボタンが電源ボタンか否かにより、処理の分岐を行う。なお電源ボタンとは、ＤＶＤレコーダ１の主電源のＯＮ／ＯＦＦを切り換えるためのボタンであり、リモコン１００が備える電源ボタン１０１や、ＤＶＤレコーダ１のハウジングに設けられたボタンがこれに相当する。
【００６１】
押下されたのが電源ボタンである場合、動作監視部１１ｂはステップＳ１３１において、ＤＶＤレコーダ１を電源停止状態に移行させた後、本処理を終了する。押下されたのが電源ボタンではない場合、動作監視部１１ｂはステップＳ１４０において、押下されたボタンが所定の機能ボタンであるか否かにより、処理の分岐を行う。
【００６２】
なお、所定の機能ボタンとは、ディスクトレイに対する光ディスクの装着状態に関わらず有効となる操作を行うためのボタンであり、上述の第一操作を行うためのボタンがこれに該当する。
【００６３】
押下されたのが所定の機能ボタンである場合、動作監視部１１ｂはステップＳ１４１において、押下された機能ボタンに応じた処理を実行した後、本処理を終了する。例えばセットアップボタンが押下された場合、セットアップ状態へ移行する。或いはＨＤＤモードへの移行ボタンが検知された場合、ＨＤＤ１５による記録／再生を行うＨＤＤモードへ移行する。
【００６４】
押下されたのが所定の機能ボタンではない場合、開閉制御部１１ｃはステップＳ１５０において、ディスクトレイの開動作を行うよう、光ディスクドライブ１６を制御した後、本処理を終了する。これにより、ユーザが光ディスクドライブ１６に対して光ディスクを装着できる状態となる。
【００６５】
なおステップＳ１５０においては、押下が検知されたボタンに対応する処理は実施しない。例えば押下されたのが光ディスクの再生停止ボタンだとしても、再生停止処理命令は発行されない。結果として、このユーザ操作は無効とされることとなる。
【００６６】
以上に説明した本実施形態によれば、ディスクトレイに光ディスクが装着されておらず、且つ光ディスクが装着されている状態でしか有効ではない操作を検知した場合に、受け付けた操作指示にかかわらず、ディスクトレイの開動作を行う。これによりユーザは、ディスクトレイのオープンボタンを探して押下する必要がないため、操作手順を削減して操作性を向上させることができる。
[実施の形態２]
【００６７】
次に、本発明の第二の実施形態について説明する。
〈２−１．内部構成について〉
【００６８】
第一の実施形態と同内容であるため、ここでは説明を省略する。
〈２−２．リモコンの構成について〉
【００６９】
本実施形態のリモコン１００は、所定の操作ボタンの背後に、ＬＥＤ等の発光部材からなるバックライトを備えている。バックライトは例えば、リモコン１００が備える操作ボタンのうち、第一操作を行うためのボタンの背後に設けられている。
【００７０】
図６は、バックライトが点灯した状態のリモコン１００を示している。図６の例では、灰色で塗りつぶされたボタンが点灯しているボタンを示している。つまり、電源ボタン１０１及び機能ボタン群１０２の背後にバックライトが設けられており、点灯している。これにより、ユーザに対して、第一操作を行うためのボタンと第二操作を行うためのボタンとを分別して明示している。
〈２−３．機能部の構成について〉
【００７１】
第一の実施形態と同内容であるため、ここでは説明を省略する。
〈２−４．開処理について〉
【００７２】
第一の実施形態と同内容であるため、ここでは説明を省略する。
【００７３】
以上に説明した本実施形態によれば、ＤＶＤレコーダ１に光ディスクが装着されていない状態において、リモコン１００に含まれる何れのボタンを押せば自動的にディスクトレイがオープンするかを、ユーザが容易に認識することができる。
［その他の実施の形態］
【００７４】
以上、好ましい実施の形態及び実施例を挙げて本発明を説明したが、本発明は必ずしも上記実施の形態に限定されるものではなく、その技術的思想の範囲内において様々に変形して実施することができる。
【００７５】
従って本発明は、以下の形態にも適用可能である。
【００７６】
（Ａ）上記実施形態では、本発明の電子装置の一例としてＤＶＤレコーダ１を例に挙げているが、記録媒体の着脱を行うことが可能な電子装置であれば、これ以外の装置において本発明を実施する形態でもよい。例えば、ＤＶＤ（Digital Versatile Disc）プレーヤ、光磁気ディスクレコーダ、ビデオカセットレコーダ等を用いる形態であってもよい。
【００７７】
（Ｂ）上記実施形態では、本発明の開処理に関わる各機能部が、マイクロプロセッサ等の演算処理装置上でプログラムを実行することにより実現されているが、各機能部が複数の回路により実現される形態でもよい。
【００７８】
（Ｃ）上記実施形態では、記録媒体を装着する格納部としてディスクトレイを例示し、ディスクトレイの開動作に関して本発明を適用しているが、格納部がこれ以外の機構により記録媒体を装着する形態でもよい。例えば、格納部がスロットローディング方式のディスクドライブを備え、光ディスクの挿入を受け入れる動作に関して、本発明を適用する形態でもよい。
【００７９】
（Ｄ）上記実施形態では、第一操作の例として電源起動／停止操作、セットアップメニューの呼び出し操作、モード切替操作、録画予約操作等を例示しているが、光ディスクが装着されていない状態においても有効に機能する操作であれば、これ以外の操作を第一操作に含める形態でもよい。例えばＤＶＤレコーダ１がネットワーク機能を備える場合、ネットワーク機能は光ディスクの有無にかかわらず実行できるため、ネットワーク機能の実行操作を第一操作に含める形態でもよい。
【符号の説明】
【００８０】
１      ＤＶＤレコーダ（電子装置）
１１    制御部
１１ａ  コード受信部
１１ｂ  動作監視部
１１ｃ  開閉制御部
１１ｄ  設定部
１２    メモリ
１３    操作部
１４    フラッシュメモリ
１５    ＨＤＤ
１６    光ディスクドライブ（格納部）
１７    放送受信部
１８    信号処理部
１９    ＯＳＤ処理部
２０    信号受信部
２１    外部接続端子
１００  リモコン（リモコン装置）
【図１】
2012248261.tif 000003
【図２】
2012248261.tif 000004
【図３】
2012248261.tif 000005
【図４】
2012248261.tif 000006
【図５】
2012248261.tif 000007
【図６】
2012248261.tif 000008